(57)【要約】  【課題】施工効率および組立効率を改善し、従来に比較してより容易かつ経済的にＡＬＣパネルを取り付けることができるＡＬＣパネルの取付用金具セットおよびＡＬＣパネルの取付方法を提供する。【解決手段】平面の少なくとも一部に縦長のボルト挿通長孔５２を備えると共に、建物躯体に壁パネルを固定する外部金物５０と、壁パネル内に下記係止金具３０を介して埋設される棒状部材２０と、一端側軸方向にボルト挿入孔３２を有すると共に、壁パネル内に埋設されてその直径方向に設けられた貫通孔３３に棒状部材２０を貫通する筒状の係止金具３０と、外部金物５０のボルト挿通長孔５２から係止金具３０のボルト挿入孔３２に螺合されるボルト４０とからなる壁パネルの取付用金具セットであって、前記外部金物５０のボルト挿通長孔５２は、前記係止金具３０が挿通可能な大きさである。【選択図】図１
2011047102.tif 000002
【特許請求の範囲】
【請求項１】
平面の少なくとも一部に縦長のボルト挿通長孔を備えると共に、建物躯体に軽量発泡コンクリートパネルを固定する外部金物と、
軽量発泡コンクリートパネル内に下記係止金具を介して埋設される棒状部材と、
一端側軸方向にボルト挿入孔を有すると共に、軽量発泡コンクリートパネル内に埋設されてその直径方向に設けられた貫通孔に前記棒状部材を貫通する筒状の係止金具と、
前記外部金物のボルト挿通長孔から前記係止金具のボルト挿入孔に螺合されるボルトとからなる軽量発泡コンクリートパネルの取付用金具セットであって、
前記外部金物のボルト挿通長孔は、前記係止金具が挿通可能な大きさであることを特徴とする軽量発泡コンクリートパネルの取付用金具セット。
【請求項２】
前記外部金物のボルト挿通長孔の短辺幅が１８〜２５ｍｍの範囲にあることを特徴とする請求項１に記載の軽量発泡コンクリートパネルの取付用金具セット。
【請求項３】
前記外部金物が、イナズマプレート、サンダープレートおよび平プレートから選ばれたいずれかであることを特徴とする請求項１または２に記載の軽量発泡コンクリートパネルの取付用金具セット。
【請求項４】
請求項１〜３のいずれか１項に記載の軽量発泡コンクリートパネルの取付用金具セットを使用して建物躯体に軽量発泡コンクリートパネルを取り付けるに際し、
まず係止金具のボルト挿入孔にボルトを螺合しておき、
この係止金具とボルトとの一体化金具を、外部金物のボルト挿通長孔へ前記係止金具側から挿入し、
次に軽量発泡コンクリートパネルの内部で、前記係止金具の貫通孔に、軽量発泡コンクリートパネルの小口面から挿入された棒状部材を貫通させ、
この状態で前記外部金物のボルト挿通長孔側から前記ボルトを締め込むことを特徴とする軽量発泡コンクリートパネルの取付方法。
【発明の詳細な説明】
【技術分野】
【０００１】
本発明は、建物躯体に軽量発泡コンクリートパネル（ＡＬＣパネル）を取り付けるために使用するＡＬＣパネルの取付用金具セットおよびこれを用いるＡＬＣパネルの取付方法の改良に関するものである。さらに詳しくは、施工効率および組立効率を改善し、従来に比較してより容易かつ経済的にＡＬＣパネルを取り付けることができるＡＬＣパネルの取付用金具セットおよびＡＬＣパネルの取付方法に関するものである。
【背景技術】
【０００２】
ＡＬＣパネルに代表される壁パネル（以下、断りのない限り壁パネルＰと呼ぶ。）の建物躯体への取付構造としては、建物躯体のフランジ部に固着した上部アングルと下部アングルからなる取付金具により、外部から壁パネルを支持する構造が一般的であったが、この取付構造では、溶接やモルタル補修などの手間を要するばかりか、壁パネルに形成した貫通孔により外観が著しく阻害されるため、近年では、壁パネルの内部に埋設したアンカー金具と取付金具とを連結固定し、この取付金具を建物躯体に固定する取付構造（例えば、特許文献１および２参照）が主として採用されている。
【０００３】
そして、この従来の取付構造は図３に示したように構成されていた。すなわち、壁パネルＰは、ＡＬＣパネルであって、内部に設けられた埋設アンカー棒（棒状部材）２０に外部金物５０が係止されることにより、建物躯体（図示略）に取り付けられる。
【０００４】
壁パネルＰを取り付ける建物躯体は、通常フランジを備えたＨ型の断面形状をしており、壁パネルＰと該建物躯体とは、フランジ上に固定された定規アングルが壁パネルＰの裏面と外部金物５０との間に狭持されることによって結合される。この外部金物５０は、ボルト挿通孔５２を備えた板状の金属部材であって、ボルト４０がボルト挿通孔４２を挿通した状態で、壁パネルＰの内部に埋設された係止金具３０の貫通孔３３へ螺着されることにより、該棒状部材２０を壁パネルＰ内に固定する。
【０００５】
壁パネルＰは、起立した長方形板状のパネルであって、パネル面Ｐ１に棒状部材２０を埋設するための裏面孔１２を、またパネル面Ｐ２に小口面孔１７とを備えている。裏面孔１２は、裏面１１に開口したパネル厚方向に延びる断面形状が円の孔であって、小口面孔１７は、小口面１６に開口したパネル面に沿って延びる断面形状が円の孔である。そして、これら裏面孔１２と小口面孔１７とは、壁パネルＰの内部で連通している。
【０００６】
棒状部材２０は、外部金物５０をボルト４０で取り付けるためのもので、壁パネルＰの内部に埋設される係止金具３０の貫通孔３３へと挿入される。
【０００７】
係止金具３０は、裏面孔１２内に挿入される金属部材であって、貫通孔３３の他に、ボルト４０を螺着するためのボルト挿入孔３２が、内周面に雌ネジを螺刻することにより穿設されている。詳しくは、この係止金具３０は、ボルト挿入孔３２と貫通孔３３とからなる筒孔が形成された円筒状の形状をしており、通常はその先端部分がやや楕円形気味に押し潰され、その楕円形気味の部分を貫通孔３３が短軸径方向に貫通した形状をしている。筒孔の構成は、基端側の端面から貫通孔３３のやや手前までの部分がボルト挿入孔３２となっており、このボルト挿入孔３２のやや手前部分から先端側の端面までの部分が貫通孔３３となっている。
【０００８】
以上に示した壁パネルＰを、建物躯体に取り付けるに際しては、まず、係止金具３０を壁パネルＰの裏面孔１２に挿入する。次いで、小口面孔１７から棒状部材２０を挿入し、壁パネルＰの内部で、この棒状部材２０を係止金具３０の貫通孔３３に挿通させることにより、埋設アンカー金具を組み立てる。その後、該埋設アンカー金具における係止金具３０端に、外部金物５０をボルト４０で緩く止め仮止めしてから、壁パネルＰを建物躯体と当接する所定の取付位置にまで移動させ、最後に、仮止めしていたボルト４０をボルト挿通孔３２へしっかりと締め付けることにより、取付を完了させる。
【０００９】
この取付構造によれば、ボルト４０により係止金具３０と棒状部材２０と外部金物５０とが結合され、かつこの結合は安定したものとなっている。
【００１０】
ところで、上記の取付構造において、パネルの取付用金具セットを構成する各部品、つまり棒状部材２０、係止金具３０、ボルト４０および外部金物５０は、それぞれ工場にて製造されたものが別々に梱包されて、施工現場へ運び込まれていた。そして、施工者は施工現場において、
ａ）ボルト５０を係止金具３０のボルト挿入孔３３に螺合仮止めする、
ｂ）パネルＰ内で係止金具３０の貫通孔３３に棒状部材２０を係合させる、
ｃ）ボルト４０を係止金具３０から取り外す、
ｄ）外部金物５０のボルト挿通長孔５２を介して、ボルト４０を係止金物３０のボルト挿入孔３３に螺合本止めするという手順により、取付構造を完成させていた。
【００１１】
しかしながら、上記のｂ）工程においては、係止金具３０が壁パネルＰの内部に入ることから、この係止金具３０を手で保持することが容易ではないため、係止金具３０に仮止めしたボルト４０を手で保持しながら、棒状部材２０を貫通孔３３へ挿通させた後にボルト４０を取り外してから、再度外部金物５０を介してボルト４０を締め込む必要があった。そればかりか、ボルト４０と外部金物５０とが別梱包されて施工現場へ運ばれていたため、両者の数が不揃いとなったり、輸送中にボルト４０の先端が損傷を受け螺合不良を発生したりするという問題もあった。
【００１２】
したがって、従来のＡＬＣパネルの取付用金具セットおよびＡＬＣパネルの取付方法においては、施工効率および組立効率の改善が頻りに求められていたのが実情である。
【先行技術文献】
【特許文献】
【００１３】
【特許文献１】特開２００６−２７４７２１号公報
【特許文献２】特開２００７−００９６５９号公報
【発明の概要】
【発明が解決しようとする課題】
【００１４】
本発明は、上述した従来技術における問題点の解決を課題として検討した結果達成されたものである。
【００１５】
したがって、本発明の目的は、施工効率および組立効率を改善し、従来に比較してより容易かつ経済的にＡＬＣパネルを取り付けることができるＡＬＣパネルの取付用金具セットおよびＡＬＣパネルの取付方法を提供することにある。
【課題を解決するための手段】
【００１６】
上記の目的を達成するために本発明によれば、
平面の少なくとも一部に縦長のボルト挿通長孔を備えると共に、建物躯体に軽量発泡コンクリートパネルを固定する外部金物と、
ＡＬＣパネル内に下記係止金具を介して埋設される棒状部材と、
一端側軸方向にボルト挿入孔を有すると共に、ＡＬＣパネル内に埋設されてその直径方向に設けられた貫通孔に前記棒状部材を貫通する筒状の係止金具と、
前記外部金物のボルト挿通長孔から前記係止金具のボルト挿入孔に螺合されるボルトとからなるＡＬＣパネルの取付用金具セットであって、
前記外部金物のボルト挿通長孔は、前記係止金具が挿通可能な大きさであることを特徴とするＡＬＣパネルの取付用金具セットが提供される。
【００１７】
なお、本発明のＡＬＣパネルの取付用金具セットにおいては、
前記外部金物のボルト挿通長孔の短辺幅が１８〜２５ｍｍの範囲にあること、および
前記外部金物が、イナズマプレート、サンダープレートおよび平プレートから選ばれたいずれかであること
が、いずれも好ましい条件として挙げられる。
【００１８】
また、本発明のＡＬＣパネルの取付方法は、
上記のＡＬＣパネルの取付用金具セットを使用して建物躯体にＡＬＣパネルを取り付けるに際し、
まず係止金具のボルト挿入孔にボルトを螺合しておき、
この係止金具とボルトとの一体化金具を、外部金物のボルト挿通長孔へ前記係止金具側から挿入し、
次にＡＬＣパネルの内部で、前記係止金具の貫通孔に、ＡＬＣパネルの小口面から挿入された棒状部材を貫通させ、
この状態で前記外部金物のボルト挿通長孔側から前記ボルトを締め込むことを特徴とする。
【発明の効果】
【００１９】
本発明によれば、ＡＬＣパネルの取付用金具セットにおける外部金物のボルト挿通長孔は、前記係止金具が挿通可能な大きさであるため、以下に説明するとおり、予めボルトを係止金具のボルト挿入孔に挿入して一体化したものを使用できることから、セット部品数が減少するばかりか、この一体化部品のボルト側を手に持ちながら、これを外部金物のボルト挿通長孔へ挿通することができ、その状態で係止金具と棒状部材とを壁パネル内で係合させることができるため、施工工程の減少も可能であることから、施工効率および組立効率を改善し、従来に比較してより容易かつ経済的にＡＬＣパネルを取り付けることができる。
【発明を実施するための形態】
【００２０】
以下、図面を用いて本発明を具体的に説明する。なお、以下においては、本発明と図３に示した従来例における共通部分については、同じ符号を用いて説明する。
【００２１】
まず、図１および図２にしたがって、本発明のＡＬＣパネルの取付用金具セットの基本構造について説明する。
【００２２】
図１に示したように、本発明のＡＬＣパネルの取付用金具セットは、外部金物５０と、棒状部材２０と、係止金具３０と、ボルト４０とから構成されるものである。
【００２３】
外部金物５０は、平面の少なくとも一部に縦長のボルト挿通長孔５２を備えると共に、建物躯体６０に壁パネル（図示省略）を固定するために機能する部材であり、図面ではサンダープレートを使用しているが、このサンダープレートに代えて、周知のイナズマプレートおよび平プレートなどを使用することも可能である。なお、この外部金物５０が備えるボルト挿通長孔５２は縦長であることが望ましく、これによりボルト４０を挿通した後で、壁パネルの縦方向の位置決めを容易に行うことが可能となる。
【００２４】
棒状部材２０は、壁パネル内に下記係止金具３０を介して埋設される棒状のアンカー部材であり、直径が９〜１２ｍｍ、長さが２００〜４００ｍｍ程度の鋼棒が好ましく使用される。
【００２５】
係止金具３０は、壁パネルの裏面孔内に挿入される金属製の筒状部材であって、一端側軸方向にボルト４０を螺着するためのボルト挿入孔３２が、内周面に雌ネジを螺刻することにより穿設されている。この係止金具３０は、通常その先端部分がやや楕円形気味に押し潰され、その楕円形気味の部分を貫通孔３３が短軸径方向に貫通した形状をしている。
【００２６】
ボルト４０は、外部金物５０のボルト挿通長孔５２から係止金具３０のボルト挿入孔３２に螺合されて、外部金物５０と係止金具３０を締結するために機能する部材である。なお、このボルト４０の頭部直径が外部金物５０のボルト挿通長孔５２よりも小さい場合には、それよりも外径の大きなワッシャー（座金）４２を介在させることによって、本発明に適用することが可能である。
【００２７】
これら外部金物５０と、棒状部材２０と、楕円形気味の係止金具３０と、ボルト４０とから構成される本発明のＡＬＣパネルの取付用金具セットにおいては、図１に示したように、外部金物５０のボルト挿通長孔５２を、係止金具３０が挿通可能な大きさに形成している。
すなわち、係止金具３０が楕円形気味であるとともに、ボルト挿通長孔が楕円孔である場合、ボルト挿通長孔に比べて係止金具３０の短径および長径（図１においてＬ２）がそれぞれ小さければ良い。
また、係止金具３０が円筒（断面が円）の場合は、その直径が外部金物５０のボルト挿通長孔５２の短辺幅Ｌ１より小さければ良い。
そして、外部金物５０のボルト挿通長孔５２の長辺長さは２０〜２５ｍｍで、短辺幅Ｌ１は１８〜２５ｍｍの範囲にあることが好ましい。また、係止金具３０の断面における、最大となる長径部分であっても１３〜２０ｍｍの範囲にあることが望ましい。
【００２８】
このように、外部金物５０のボルト挿通長孔５２が係止金具３０が挿通可能な大きさであることによって、図１に示したように、予めボルト４０を係止金具３０のボルト挿入孔３２に挿入して一体化したものを使用できることから、セット部品数が減少するばかりか、図２に示したように、この一体化部品のボルト４０側を手にもちながら、これを外部金物５０のボルト挿通長孔５２へ挿通することができ、その状態で係止金具３０と棒状部材２０とを壁パネル内で係合させることができるため、施工工程の減少も可能となるのである。
【００２９】
次に、上記の構成からなる本発明のＡＬＣパネルの取付用金具セットを使用して、壁パネルを建物躯体に取り付ける方法について、図１〜図３を参照しつつ説明する。
なお、上記においては図３を従来例として説明したが、その基本構造自体は本発明と同様である。また、図１および２は、図３を反対側から見た例であり、壁パネルについては図示を省略してある。
【００３０】
本発明の取付方法を実施するに際しては、図１に示したように、まず係止金具３０のボルト挿入孔３２にボルト４０を螺合しておく。なお、この両部品３０、４０の結合一体化は、これら部品の製造工場で機械的に効率よく実施可能であり、この一体化部品を梱包して施工現場へ搬送できるため、部品数が減少できるばかりか、これまで施工現場で行っていたボルト４０のネジ螺合検査も、一体化と同時に実施できるため、施工効率が著しく改善されることになる。
【００３１】
そして、施工現場では、この係止金具３０とボルト４０との一体化金具を、図２に示したように、外部金物５０のボルト挿通長孔３２へ係止金具３０側から挿入する。この場合には、外部金物５０のボルト挿通長孔５２が係止金具３０が挿通可能な大きさであるため、この一体化部品のボルト４０側を手にもちながら、これを外部金物５０のボルト挿通長孔５２へと容易に挿通することができ、その状態で以下のように係止金具３０と棒状部材２０とを壁パネル内で係合させることができる。
【００３２】
次に、建物躯体、例えばＬ字アングル６０に載置された壁パネルの内部で、係止金具３０の貫通孔３３に、壁パネルの小口面から挿入された棒状部材２０を貫通させ、この状態で外部金物５０のボルト挿通長孔５２側からボルト４０を締め込むことにより、従来に比較して遙かに容易かつ経済的に壁パネルの取付構造を完成することができる。
【産業上の利用可能性】
【００３３】
本発明によれば、予めボルトを係止金具のボルト挿入孔に挿入して一体化したものを使用できることからセット部品数が減少するばかりか、この一体化部品のボルト側を手にもちながら、これを外部金物のボルト挿通長孔へ挿通することができ、その状態で係止金具と棒状部材とを壁パネル内で係合させることができるため、施工工程の減少も可能であることから、施工効率および組立効率を改善し、従来に比較してより容易かつ経済的にＡＬＣパネルを取り付けることができ、壁パネルを用いる建築分野へ貢献するところが大きいといえる。
【図面の簡単な説明】
【００３４】
【図１】本発明のＡＬＣパネルの取付用金具セットの一例を、ボルト挿通長孔の短辺幅Ｌ１および係止金具の長径Ｌ２を含めて示す斜視説明図。
【図２】図１のＡＬＣパネルの取付用金具セットの取付工程を示す斜視説明図。
【図３】従来の壁パネルへの取付構造を示す斜視説明図。
【符号の説明】
【００３５】
Ｐ      壁パネル（ＡＬＣパネル）
１２    裏面孔
１７    小口面孔
２０    棒状部材（埋設アンカー棒）
３０    係止金具
３１    筒状本体
３２    ボルト挿入孔
３３    貫通孔
４０    ボルト
４２    ワッシャー
５０    外部金物
５２    ボルト挿通長孔
Ｌ１    ボルト挿通長孔の短辺幅
Ｌ２    係止金具の長径
【図１】
2011047102.tif 000003
【図２】
2011047102.tif 000004
【図３】
2011047102.tif 000005